(57)【要約】  排ガス測定装置用のスイッチキャビネットであって、スイッチキャビネットは、キャビネットボディ（１２）を備え、キャビネットボディ（１２）は、２つの側壁（１４，１６）と、１つの天井（２０）と、１つの底部（１８）と、１つの後壁（２２）とから構成されていて、前面（２４）に配置された扉（２６）によって閉鎖可能であり、キャビネットボディ（１２）内には、測定ガス分配器（４６）と、少なくとも１つの測定機器（２８，３０，３２）とが配置されており、測定ガス分配器（４６）の流出部は、少なくとも１つの測定機器（２８，３０，３２）の流入部に互いに気密に結合可能である。この種のスイッチキャビネットにおいて問題になるのは、測定ガスが複数のホースまたは金属管路を介して複数の測定機器へ案内されなければならず、その際に測定ガスの温度が常に変化することである。測定に必要なガス温度を測定機器内で保証するために、測定機器の測定ガス流入部はそれぞれ、ヒータと温度監視装置とを有し、これにより、測定機器のコストおよび構成スペースが増加する。さらに、測定機器のメンテナンスは手間が掛かる。なぜならば、測定機器をスイッチキャビネットから取り出し、スイッチキャビネットに接続されたホースおよびケーブルを取り外さなければならないからである。したがって、本発明によれば、測定ガス分配器（４６）を少なくとも１つの測定機器（２８；３０；３２）に対して気密に結合させるために、測定ガス分配器（４６）に取り付けられた、流出部を形成する少なくとも１つの連結部材（８６；８８）が、少なくとも１つの測定機器（２８；３０；３２）に取り付けられた、流入部を形成する連結部材（９０；９２）と互いに差嵌め可能であるように、測定ガス分配器（４６）をキャビネットボディ（１２）に対して相対的に可動に配置することが提案される。
2019517666.tif 000002
【特許請求の範囲】
【請求項１】
排ガス測定装置用のスイッチキャビネットであって、
キャビネットボディ（１２）を備え、
前記キャビネットボディ（１２）は、２つの側壁（１４，１６）と、１つの天井（２０）と、１つの底部（１８）と、１つの後壁（２２）とから構成されており、前面（２４）に配置された扉（２６）によって閉鎖可能であり、
前記キャビネットボディ（１２）内には、測定ガス分配器（４６）と、少なくとも１つの測定機器（２８；３０；３２）とが配置されており、
前記測定ガス分配器（４６）の流出部は、前記少なくとも１つの測定機器（２８；３０；３２）の流入部に互いに気密に結合可能である、排ガス測定装置用のスイッチキャビネットにおいて、
前記測定ガス分配器（４６）を前記少なくとも１つの測定機器（２８；３０；３２）に対して気密に結合させるために、前記測定ガス分配器（４６）に取り付けられた、流出部を形成する少なくとも１つの連結部材（８６；８８）が、前記少なくとも１つの測定機器（２８；３０；３２）に取り付けられた、流入部を形成する連結部材（９０；９２）と互いに差嵌め可能であるように、前記測定ガス分配器（４６）が前記キャビネットボディ（１２）に対して相対的に可動に配置されていることを特徴とする、排ガス測定装置用のスイッチキャビネット。
【請求項２】
前記測定ガス分配器（４６）は、並進運動可能にまたは回転運動可能に前記キャビネットボディ（１２）内に配置されていることを特徴とする、請求項１記載の排ガス測定装置用のスイッチキャビネット。
【請求項３】
前記測定ガス分配器（４６）は、ガイド（４８）を介して前記キャビネットボディ（１２）内に水平方向に摺動可能に配置されており、
前記ガイド（４８）は、前記キャビネットボディ（１２）に取り付けられた第１のレール（５０）と、前記測定ガス分配器（４６）に取り付けられた、前記第１のレール（５０）内でスライドする第２のレール（５２）とを有することを特徴とする、請求項１または２記載の排ガス測定装置用のスイッチキャビネット。
【請求項４】
前記第１のレール（５０）は、鉛直方向の両端部において突出する区分（７０，７２）を有する、前記後壁（２２）に取り付けられた少なくとも１つの金属薄板（６６；６８）であり、前記第２のレール（５２）は、クランプ状に構成されており、
クランプ状に構成された前記第２のレール（５２）の両端部は、前記第１のレール（５０）の突出する前記区分（７０，７２）に後方から係合することを特徴とする、請求項３記載の排ガス測定装置用のスイッチキャビネット。
【請求項５】
前記少なくとも１つの測定機器（２８；３０；３２）は、退出装置（９８）を介して前記キャビネットボディ（１２）内に支持されていることを特徴とする、請求項１から４までのいずれか１項記載の排ガス測定装置用のスイッチキャビネット。
【請求項６】
前記少なくとも１つの測定機器（２８；３０；３２）の少なくとも１つの要素（９６）は、退出装置（９８）を介して前記キャビネットボディ（１２）内に支持されていることを特徴とする、請求項１から３までのいずれか１項記載の排ガス測定装置用のスイッチキャビネット。
【請求項７】
前記退出装置（９８）は、前記キャビネットボディ（１２）内に不動に配置された支持要素（１００）と、該支持要素（１００）内に回動可能に支持された回動ユニット（１０２）とを有し、
前記少なくとも１つの測定機器（２８；３０；３２）または前記少なくとも１つの測定機器（２８；３０；３２）の前記要素（９６）は、前記回動ユニット（１０２）に取り付けられていることを特徴とする、請求項５または６記載の排ガス測定装置用のスイッチキャビネット。
【請求項８】
前記回動ユニット（１０２）は、第１の端部でもって前記支持要素（１００）内に回動可能に取り付けられていて、前記回動ユニット（１０２）が最大に退出された位置でストッパ面に当接する当接面（１０６）を有することを特徴とする、請求項７記載の排ガス測定装置用のスイッチキャビネット。
【請求項９】
前記退出装置（９８）は、液圧式のダンパ要素（１０８）を有することを特徴とする、請求項５から８までのいずれか１項記載の排ガス測定装置用のスイッチキャビネット。
【請求項１０】
前記測定ガス分配器（４６）の前記少なくとも１つの連結部材（８６；８８）は、雄ねじ山を有し、前記少なくとも１つの測定機器（２８；３０；３２）の前記連結部材（９０；９２）は、プリロードが掛けられたユニオンナットを有することを特徴とする、請求項１から９までのいずれか１項記載の排ガス測定装置用のスイッチキャビネット。
【請求項１１】
前記測定ガス分配器（４６）は、第１の連結部材（８６）と第２の連結部材（８８）とを有し、
前記第２の連結部材（８８）は、第２の流出部として用いられ、第２の測定機器（３２）の連結部材（９２）に気密に結合可能であることを特徴とする、請求項１から１０までのいずれか１項記載の排ガス測定装置用のスイッチキャビネット。
【請求項１２】
前記少なくとも１つの測定機器（２８，３０，３２）は、化学発光検出／分析器または赤外線検出／分析器であることを特徴とする、請求項１から１１までのいずれか１項記載の排ガス測定装置用のスイッチキャビネット。
【請求項１３】
前記測定ガス分配器（４６）は、第１のガイドを介して水平方向に摺動可能に、かつ第２のガイドを介して鉛直方向に摺動可能に、前記キャビネットボディ（１２）内に配置されていることを特徴とする、請求項１から１２までのいずれか１項記載の排ガス測定装置用のスイッチキャビネット。
【請求項１４】
前記測定ガス分配器（４６）は、連結部材（８６）を有し、
前記連結部材（８６）は、前記測定ガス分配器（４６）を鉛直方向にかつ水平方向に摺動させることにより、第１の測定機器（３０）または第２の測定機器（３２）の連結部材（９０）に結合可能であることを特徴とする、請求項１３記載の排ガス測定装置用のスイッチキャビネット。
【請求項１５】
前記測定ガス分配器（４６）は、２つの連結部材（８６，８８）を有し、
前記連結部材（８６，８８）は、前記測定ガス分配器（４６）の並進摺動により、第１の測定機器（３０）および第２の測定機器（３２）のそれぞれの連結部材（９０，９２）に結合可能であることを特徴とする、請求項１３記載の排ガス測定装置用のスイッチキャビネット。
【発明の詳細な説明】
【技術分野】
【０００１】
本発明は、排ガス測定装置用のスイッチキャビネットであって、キャビネットボディを備え、キャビネットボディは、２つの側壁と、１つの天井と、１つの底部と、１つの後壁とから構成されていて、前面に配置された扉によって閉鎖可能であり、キャビネットボディ内には、測定ガス分配器と、少なくとも１つの測定機器とが配置されており、測定ガス分配器の流出部は、少なくとも１つの測定機器の流入部に互いに気密に結合可能である、排ガス測定装置用のスイッチキャビネットに関する。
【背景技術】
【０００２】
この種のスイッチキャビネットは、特に自動車産業において、自動車のエミッション特性を測定するために使用される。自動車は、ダイナモメータ上で所定の走行サイクルを走行し、その際に放出された排ガスが収集され、場合により希釈され、分析ユニットとして構成されたスイッチキャビネットに供給される。スイッチキャビネット内には、排ガスの種々異なる成分、たとえば炭化水素、メタンまたは窒素酸化物などを測定するための様々な測定機器の他に、給電ユニット、制御ユニット、電子装置、冷却ユニットおよび校正ユニットも配置されている。さらに、スイッチキャビネットは、複数の接続部、管路およびガス分配器を備えており、これらを介して、ガスは対応するユニットに案内されて分配される。
【０００３】
排ガス測定装置用のスイッチキャビネットは、たとえば欧州特許出願公開第２３１７８３３号明細書から公知である。このスイッチキャビネットは、２つのキャビネット部分から成る。前側のキャビネット部分には、測定機器と、コンピュータとが配置されていて、後側のキャビネット部分には、測定ガス導入用の流入インタフェースと、測定ガスポンプと、弁と、減圧器とが配置されている。
【０００４】
欧州特許出願公開第２３１７８３３号明細書において説明された態様および基本的にこの種のスイッチキャビネットにおいて問題になるのは、測定ガスが、キャビネットボディにおけるガス流入部を起点として、複数のホースまたは金属管路を介して複数の測定機器へ案内されなければならず、測定ガスの温度が常に変化することである。測定に必要なガス温度を測定機器内で保証するために、測定機器の測定ガス流入部はそれぞれ、ヒータと温度監視装置とを有しており、これにより、測定機器のコストおよび構成スペースが増加する。さらに、スイッチキャビネットのこのような態様では、測定機器のメンテナンスは手間が掛かる。なぜならば、測定機器のメンテナンスを可能にする前に、測定機器をスイッチキャビネットから取り出し、スイッチキャビネットに接続されたホースおよびケーブルを取り外さなければならないからである。
【発明の概要】
【発明が解決しようとする課題】
【０００５】
したがって、本発明の課題は、排ガス測定装置用のスイッチキャビネットを改良して、測定機器をより小型にかつより低コストに構成することができ、かつ測定機器のメンテナンスが容易になるように、スイッチキャビネットの内側で測定機器に通じるガスガイドを構成することである。
【課題を解決するための手段】
【０００６】
この課題は、独立請求項１の特徴部に記載の構成を備える、排ガス測定装置用のスイッチキャビネットによって解決される。
【０００７】
測定ガス分配器を少なくとも１つの測定機器に対して気密に結合させるために、測定ガス分配器に取り付けられた、流出部を形成する少なくとも１つの連結部材が、少なくとも１つの測定機器に取り付けられた、流入部を形成する連結部材と互いに差嵌め可能であるように、測定ガス分配器がキャビネットボディに対して相対的に可動に配置されることにより、通常は複数のホースまたは金属管を介して形成されるガス管路が省かれるので、測定ガス分配器と測定機器の測定ガス流入部との間で温度が変化せず、測定ガス分配器内に組み込まれたヒータおよび温度監視装置を、測定ガス分配器に接続された全ての測定機器に対して使用することができる。このようにすると、測定機器の測定ガス流入部に配置されたヒータおよび温度監視装置を省くことができ、これにより、測定機器をより小型にかつより低コストに構成することができる。さらに、測定機器のメンテナンスのために、ガス管路を測定機器から取り外す必要がなく、これにより、測定機器のメンテナンスが容易になる。
【０００８】
好ましくは、測定ガス分配器は、並進運動可能にまたは回転運動可能にキャビネットボディ内に配置されており、これにより、測定ガス分配器の連結部材および測定機器の連結部材は、並進摺動または回動運動を介して案内されて、互いに正確な位置へ動かされ、この位置において、簡単で互いに結合しまたは分離することができる。
【０００９】
好適な実施の態様では、測定ガス分配器は、ガイドを介してキャビネットボディ内に水平方向に摺動可能に配置されており、ガイドは、キャビネットボディに取り付けられた第１のレールと、測定ガス分配器に取り付けられた、第１のレール内でスライドする第２のレールとを有する。レールガイドにより、測定ガス分配器を摺動可能に配置するための簡単でかつ低コストの装置が提供される。
【００１０】
好ましくは、第１のレールは、両端部において突出する区分を有する、後壁に取り付けられた少なくとも１つの金属薄板であり、第２のレールは、クランプ状に構成されており、クランプ状に構成された第２のレールの両端部は、第１のレールの突出する区分に後方から係合する。これにより、特に簡単にかつ低コストに、レールガイドが実現される。
【００１１】
好ましくは、少なくとも１つの測定機器は、退出装置を介してキャビネットボディ内に支持されている。代替的に、少なくとも１つの測定機器の少なくとも１つの要素が、退出装置を介してキャビネットボディ内に支持されている。通常、測定機器は、キャビネットボディ内に水平方向に不動に配置された収容部に載置される。測定機器をメンテナンスおよび診断するとき、まず、測定機器を収容部から引き出し、接続部全体を取り外さなければならず、これにより、測定機器のメンテナンスおよび診断を、スイッチキャビネットが動作中でないときにしか行うことができない。退出装置を介して測定機器を配置したことにより、測定機器を少なくとも部分的にキャビネットボディから引き出すことができ、このことは、測定機器のメンテナンスおよび診断を実行できるようにするには十分である。このようにすると、測定機器の診断およびメンテナンスが容易になり、その際、メンテナンスおよび診断を、スイッチキャビネットの動作中に行うことができる。なぜならば、複数のホースまたはケーブルを取り外さなくてよいからである。
【００１２】
好ましくは、退出装置は、キャビネットボディ内に不動に配置された支持要素と、この支持要素に回動可能に支持された回動ユニットとを有し、少なくとも１つの測定機器または少なくとも１つの測定機器の要素が、回動ユニットに取り付けられている。好ましくは、回動ユニットは、第１の端部でもって支持要素に回動可能に取り付けられており、回動ユニットが最大に退出された位置でストッパ面に当接する当接面を有する。これにより、退出装置の、簡単で省スペースかつ低コストの態様が提供される。
【００１３】
好ましくは、退出装置は、液圧式のダンパ要素を有しており、これにより、測定機器を様々な中間位置で保持することができる。
【００１４】
好適な実施の態様では、測定ガス分配器の連結部材は、雄ねじ山を有し、少なくとも１つの測定機器の連結部材は、プリロードが掛けられたユニオンナットを有しており、これにより、両連結部材の結合を簡素化することができ、この結合を、狭くアクセスが困難な空間に形成することができる。
【００１５】
好ましくは、測定ガス分配器は、第１の連結部材と第２の連結部材とを有しており、第２の連結部材は第２の流出部として用いられ、第２の測定機器の連結部材に気密に結合可能である。このようにすると、１つの測定ガス分配器を２つの測定機器に対して使用することができ、これにより、第２の測定ガス分配器に関するコストおよび構成スペースが省かれる。
【００１６】
好ましくは、少なくとも１つの測定機器は、化学発光検出／分析器または赤外線検出／分析器である。
【００１７】
好ましくは、測定ガス分配器は、第１のガイドを介して水平方向に摺動可能に、かつ第２のガイドを介して鉛直方向に摺動可能に、キャビネットボディ内に配置されている。これにより、測定ガス分配器をキャビネットボディ内にフレキシブルに配置することができるので、測定ガス分配器を、実行すべき測定に応じて相応に摺動させることができ、測定に必要な測定機器に結合することができる。
【００１８】
好適な実施の態様では、測定ガス分配器は、連結部材を有しており、この連結部材は、測定ガス分配器を鉛直方向にかつ水平方向に摺動させることにより、第１の測定機器または第２の測定機器の連結部材に結合可能である。このようにすると、測定ガス分配器を２つの位置の間で摺動させることができ、測定に応じてそれぞれの測定機器に連結することができる。
【００１９】
好ましくは、測定ガス分配器は、２つの連結部材を有しており、これらの連結部材は、測定ガス分配器の並進摺動により、第１の測定機器および第２の測定機器のそれぞれの連結部材に結合可能である。これにより、測定ガス分配器を、２つの測定機器に同時に連結するかまたは２つの測定機器から同時に分離することができる。
【００２０】
したがって、個々の測定機器の測定ガス流入部に設けられたヒータおよび温度監視装置を省くことができることにより、スイッチキャビネット内に配置された測定機器をより省スペースにかつより低コストに構成することができる、排ガス測定装置用のスイッチキャビネットが提供される。さらに、ガス管路を測定機器から取り外さなくてよいので、測定機器のメンテナンスが容易になる。
【００２１】
本発明に係る、排ガス測定装置用のスイッチキャビネットの１つの実施の態様を図示し、以下に説明する。
【図面の簡単な説明】
【００２２】
【図１】排ガス測定装置用のスイッチキャビネットの正面図を示す。
【図２】本発明に従って配置された、図１に示した測定ガス分配器の側面図を示す。
【図３】図１に示したスイッチキャビネットの側面図を示す。
【発明を実施するための形態】
【００２３】
排ガス測定装置用のスイッチキャビネット１０は、第１の側壁１４と、反対側の第２の側壁１６と、底部１８と、天井２０と、後壁２２とを有するキャビネットボディ１２から成る。キャビネットボディ１２の開いた前面２４は、第１の側壁１４に回動可能に取り付けられた扉２６によって閉鎖可能である。
【００２４】
スイッチキャビネット１０内には、測定ガスを分析する複数の測定機器２８，３０，３２が配置されている。これらの測定機器２８，３０，３２は、扉２６に配置された操作ユニット３４を介して制御可能である。
【００２５】
キャビネットボディ１２内には、測定ガスを分析するのに必要な全てのコンポーネントが配置されている。キャビネットボディ１２の底部１８には、給電ユニット３６が配置されている。この給電ユニット３６を介して、測定機器２８，３０，３２と、キャビネットボディ１２内に配置された別のコンポーネントとに、電力が供給される。給電ユニット３６の上方には、第１の測定機器２８が配置されている。この第１の測定機器２８は、赤外線検出／分析器であり、たとえば一酸化炭素、二酸化炭素または炭化水素化合物を測定するのに使用される。赤外線検出／分析器２８内の測定ガスは、赤外線検出／分析器２８の上に配置された冷却器３８によって冷却される。
【００２６】
冷却器３８の上方には、第２の測定機器３０が配置されている。この第２の測定機器３０は、化学発光検出／分析器として構成されていて、第２の測定機器３０を介して、排ガス中の窒素酸化物の量が測定される。
【００２７】
また、化学発光検出／分析器３０の上方には、第３の測定機器３２として、炭化水素を測定する水素炎イオン化型検出／分析器が配置されている。
【００２８】
側壁１６には、測定ガス分配器４６が配置されている。この測定ガス分配器４６は、測定ガスを、対応する測定機器２８，３０，３２に分配する。
【００２９】
図２には、本発明による、キャビネットボディ１２の側壁１６における測定ガス分配器４６の摺動可能な配置が示されている。
【００３０】
測定ガス分配器４６は、ガイド４８を介して、キャビネットボディ１２の後壁２２に、水平方向に摺動可能に取り付けられている。ガイド４８は、ねじ５４，５６，５８を介してキャビネットボディ１２の後壁２２に取り付けられた第１のレール５０と、ねじ６０，６２，６４を介して測定ガス分配器４６に取り付けられた第２のレール５２とを有する。
【００３１】
第１のレール５０は、後壁２２に接触している変形された２枚の金属薄板６６，６８から構成される。これらの金属薄板６６，６８は、互いに離反する側の鉛直方向の端部に、それぞれ１つの突出する区分７０，７２を有し、これにより、後壁２２と、それぞれの突出する区分７０，７２との間に、それぞれ１つの間隙を形成する。
【００３２】
第２のレール５２は、クランプ状に形成されていて、測定ガス分配器４６に接触している壁７４と、壁７４の鉛直方向の両端部に続いて水平方向に延在する壁７６，７８と、壁７６，７８に続く、壁７４に対して平行に延在するカラー８０，８２とを有する。
【００３３】
組み付けられた状態では、カラー８０，８２は、突出する区分７０，７２に後方から係合するので、第２のレールは、鉛直方向に不動にかつ水平方向に摺動可能に第１のレールに配置される。金属薄板６６には、調整ねじ８４が係合している。この調整ねじ８４は、キャビネットボディ１２に取り付けられた保持要素８６にねじ込まれている。調整ねじ８４をねじ込むかまたはねじ外すことにより、金属薄板６６は、鉛直方向に位置調節され、これにより、ガイド４８は、最良に機能するように調整される。
【００３４】
測定ガス分配器４６は、測定機器２８，３０，３２寄りの側に、第１の連結部材８６と、第２の連結部材８８とを有する。これらの第１の連結部材８６および第２の連結部材８８は、測定ガス分配器４６の２つの流出部を形成し、測定機器３０，３２の連結部材９０，９２（図３参照）に気密に結合可能である。測定ガス分配器４６のさらに別の連結部材９４は、ホース（図示せず）を介して測定機器２８に結合されているので、キャビネットボディ１２内に配置された全ての測定機器２８，３０，３２には、測定ガス分配器４６を介して測定ガスが供給される。
【００３５】
測定ガス分配器４６の連結部材８６，８８と、測定機器３０，３２の連結部材９０，９２との結合は、測定ガス分配器４６の水平方向の摺動を介して行われる。その際、測定ガス分配器４６は、測定ガス分配器４６の連結部材８６，８８が測定機器３０，３２の連結部材９０，９２内へ差し込まれるまで摺動される。最終的な固定は、測定ガス分配器４６の連結部材８６，８８に形成された雄ねじ山と、測定機器３０，３２の各々の連結部材９０，９２に配置された、プリロードが掛けられたユニオンナットとを介して行われる。
【００３６】
図３には、測定機器３０の要素９６の回動可能な配置が示されている。本実施の態様では、要素９６は、化学発光検出／分析器の冷却器である。スイッチキャビネット１０の別の実施の態様では、測定機器２８，３０，３２全体をキャビネットボディ１２内に回動可能に配置することもできる。
【００３７】
冷却器９６は、退出装置９８を介してキャビネットボディ１２内に回動可能に支持されている。退出装置９８は、キャビネットボディ１２内に不動に配置された、本実施の態様では測定機器３０のハウジングを形成する支持要素１００と、この支持要素１００内で回動可能に支持された回動ユニット１０２とを有し、冷却器９６は回動ユニット１０２に取り付けられている。回動ユニット１０２は、ピン１０４を介して支持要素１００内で回動可能に支持されていて、当接面１０６を有する。この当接面１０６は、回動ユニット１０２が最大に退出されているとき、支持要素１００に形成されたストッパ面（図示せず）に接触する。
【００３８】
さらに、退出装置９８は、液圧式ダンパ１０８を有する。この液圧式ダンパ１０８の一方の端部は支持要素１００に取り付けられていて、他方の端部は回動ユニット１０２に取り付けられている。本実施の態様では、液圧式ダンパ１０８が回動ユニット１０２の退出運動を減衰するためにしか使用されないように、または液圧式ダンパ１０８が回動ユニット１０２の様々な退出位置を実現するためにも使用されるように、液圧式ダンパ１０８を設計することができる。
【００３９】
冷却器９６のこのような回動可能な配置により、または測定機器全体の別の実施の態様では、冷却器９６のメンテナンスおよび診断が容易になる。この場合、冷却器９６をスイッチキャビネット１０から完全に取り出す必要はなく、スイッチキャビネット１０に接続された管路およびケーブルを取り外す必要もない。
【００４０】
したがって、測定機器の測定ガス流入部に設けられたヒータおよび温度監視装置が省かれ、その結果、測定機器をより省スペースにかつより低コストに構成することができることにより、測定ガス管路が簡素化された、排ガス測定装置用のスイッチキャビネットが提供される。さらに、ガス管路が測定機器から取り外されないことにより、測定機器のメンテナンスが容易になる。
【００４１】
本発明の独立請求項の権利保護範囲が、説明した実施の態様に限定されないことは明らかである。特に、鉛直方向に摺動させるための付加的なガイドを設けることにより、測定ガス分配器を、水平方向に摺動させることに加えて鉛直方向に摺動させることもできる。さらに、測定キャビネットに、別のもしくは付加的な測定機器を備え付けることもでき、または、化学発光検出／分析器もしくはその要素としての別の測定機器を、キャビネットボディ１２内に回動可能に配置することもできる。
【図１】
2019517666.tif 000003
【図２】
2019517666.tif 000004
【図３】
2019517666.tif 000005
【国際調査報告】
2019517666.tif 000006
2019517666.tif 000007
2019517666.tif 000008
2019517666.tif 000009